(57)【要約】      （修正有）【課題】歩数だけでなく、非歩行時間も計測する歩数計を提供する。【解決手段】３次元加速度センサ２３の出力に基づいて、身体活動データ列作成部２１２ａが身体活動データ列を作成し、身体活動データ列に基づいて、非歩行時間計測部２１２ｂが非歩行時間を計測し、記憶部２１４に記憶する。非歩行時間が所定の閾値を超えた場合、健康に悪影響を与えると判断して、例えば、振動発生部２７から警告を発する。記憶部２１４に記憶された非歩行時間のデータは、ＮＦＣ通信部２２又は無線通信部２５から送信され、図示されてない管理サーバに格納される。【選択図】図２
2018180664.tif 000002
【特許請求の範囲】
【請求項１】
加速度センサを搭載し、前記加速度センサの出力に基づいて歩数を計測する歩数計であって、
前記加速度センサの出力に基づいて、身体活動データ列を作成する身体活動データ列作成部と、
前記身体活動データ列に基づいて、非歩行時間を計測する非歩行時間計測部と、
前記非歩行時間計測部により計測された非歩行時間を記憶する記憶部と、
前記記憶部に記憶された非歩行時間に基づいて算出された時間が、所定の閾値時間を超えたか否か判定するアラート処理部と、
を備え、
前記記憶部に記憶された非歩行時間に基づいて算出された時間が、所定の閾値時間を超えた場合には、触覚的、視覚的又は聴覚的な警告を発することを特徴とする歩数計。
【請求項２】
前記アラート処理部は、
（ａ）当日の所定時刻から現在までの非歩行時間の合計が、第１の所定の閾値を超えたか否か、
（ｂ）現在までの連続した非歩行時間が、第２の所定の閾値を超えたか否か、
の両方、又はいずれか一方を判定することを特徴とする請求項１に記載の歩数計。
【請求項３】
前記第１の所定の閾値及び／又は前記第２の所定の閾値を、外部から受信するためのＮＦＣ通信部及び／又は無線通信部を備えたことを特徴とする請求項２に記載の歩数計。
【請求項４】
１時間毎の歩行／非歩行を決定するための６０分単位非歩行判定閾値を、外部から受信するためのＮＦＣ通信部及び／又は無線通信部を備えたことを特徴とする請求項２又は３に記載の歩数計。
【請求項５】
単位時間毎の歩行／非歩行を判定するための身体活動強度閾値を、外部から受信するためのＮＦＣ通信部及び／又は無線通信部を備えたことを特徴とする請求項１〜４に記載の歩数計。
【請求項６】
加速度センサを搭載し、前記加速度センサの出力に基づいて歩数を計測する歩数計であって、
前記加速度センサの出力に基づいて、身体活動データ列を作成する身体活動データ列作成部と、
前記身体活動データ列に基づいて、非歩行時間を計測する非歩行時間計測部と、
前記非歩行時間計測部により計測された非歩行時間を記憶する記憶部と、
前記記憶部に記憶された非歩行時間のデータを、ＮＦＣ通信により外部に送信するＮＦＣ通信部、及び／又は、前記記憶部に記憶された非歩行時間のデータを、無線通信により外部に送信する無線通信部と、
を備えたことを特徴とする歩数計。
【請求項７】
請求項６に記載の歩数計、前記歩数計から送信された非歩行時間のデータを受信するＮＦＣ通信部が組込まれた、食堂の精算装置、勤怠管理装置、入退室管理装置、プリンタ認証装置、パソコン起動時の認証装置、又は自動車の乗車起動時の認証装置、及び前記非歩行時間のデータを処理する管理サーバ装置を備えたことを特徴とする健康管理システム。
【請求項８】
請求項６に記載の歩数計、前記歩数計から送信された非歩行時間のデータを、携帯電話若しくはスマートフォンの通信機能、又はＷｉＦｉ若しくはBlue tooth（登録商標）の通信機能により受信する無線通信部、及び前記非歩行時間のデータを処理する管理サーバ装置を備えたことを特徴とする健康管理システム。
【請求項９】
前記歩数計から送信された非歩行時間のデータを処理した結果を、前記歩数計とは別の端末へ送信する前記管理サーバ装置を備えたことを特徴とする、請求項７又は８に記載の健康管理システム。
【発明の詳細な説明】
【技術分野】
【０００１】
本発明は、歩数だけでなく、歩行していない時間、即ち非歩行時間も測定することが可能な歩数計に関する。
【背景技術】
【０００２】
歩数計は、歩行者が携行することで、歩行者の歩行動作による体動を検出し、その体動に基づいて歩数を計数するものである。
【０００３】
従来、歩数だけでなく、歩行距離や歩行速度も測定する歩数計が提案されている。また、歩数に基づいて消費カロリーを計算して表示する歩数計も提案されている。
【０００４】
また、歩数計として特別に携行するのでなく、社員証等のＩＣカードの中に歩数計を組み込んで、歩数を計数し記憶し、ＩＣカード読取端末装置にＩＤ番号を読み取らせる際に、歩数の情報も読み取らせるシステムが提案されている。（特許文献１）
【０００５】
また、個人を特定できるＩＤ番号を歩数計に持たせ、歩数計で勤怠打刻やＩＣカード精算等をするタイミングで、歩数の情報も収集するシステムが提案されている。（特許文献２）
【先行技術文献】
【特許文献】
【０００６】
【特許文献１】特開２０１６−２０６７０６号公報
【特許文献２】特開２００８−３０４９７８号公報
【発明の概要】
【発明が解決しようとする課題】
【０００７】
従来は、歩くことによりエネルギーを消費し、それにより肥満が防止され、健康に繋がるという観点から歩数がカウントされてきた。
しかし、近年、座った状態を長時間続けることが、病気を招くということが指摘されている。（非特許文献１）
【非特許文献１】（ＮＨＫクローズアップ現代，“座りすぎ”が病を生む！？，［online］，［平成２９年３月２日検索］，インターネット＜ＵＲＬ：http://www.nhk.or.jp/gendai/articles/3731/1.html＞）
【０００８】
非特許文献１によれば、立ったり歩いたりしているときは、脚の筋肉が働き、筋肉の細胞内で、糖や中性脂肪が血液中から取り込まれエネルギーとして消費される「代謝」が盛んに行われる。しかし、座ると全身の代謝機能を支えてきた脚の筋肉が活動せず、糖や中性脂肪が取り込まれにくくなり、血液中に増えてしまう。このため、狭心症や心筋梗塞、脳梗塞、更に糖尿病のリスクが高まる。
したがって、座り続けている時間が、病気を招く指標になると考えられる。しかしながら、座り続けている時間を自動的に計測する装置は、これまで提案されてこなかった。
【０００９】
本発明は、歩数計が内蔵している加速度センサの出力を処理することにより、座り続けている時間を自動的に計測することが可能なことに着目し、歩数だけでなく、座り続けている時間を自動的に計測できる歩数計を提供することを目的とする。
【課題を解決するための手段】
【００１０】
本発明では、以下のような解決手段を提供する。
【００１１】
（１）加速度センサを搭載し、前記加速度センサの出力に基づいて歩数を計測する歩数計であって、
前記加速度センサの出力に基づいて、身体活動データ列を作成する身体活動データ列作成部と、
前記身体活動データ列に基づいて、非歩行時間を計測する非歩行時間計測部と、
前記非歩行時間計測部により計測された非歩行時間を記憶する記憶部と、
前記記憶部に記憶された非歩行時間に基づいて算出された時間が、所定の閾値時間を超えたか否か判定するアラート処理部と、
を備え、
前記記憶部に記憶された非歩行時間に基づいて算出された時間が、所定の閾値時間を超えた場合には、触覚的、視覚的又は聴覚的な警告を発することを特徴とする歩数計。
【００１２】
（１）の構成によれば、非歩行時間が長過ぎて健康に悪影響を与える時に、ユーザに対して警告を発生させて運動を促すことができる。
【００１３】
（２）前記アラート処理部は、
（ａ）当日の所定時刻から現在までの非歩行時間の合計が、第１の所定の閾値を超えたか否か、
（ｂ）現在までの連続した非歩行時間が、第２の所定の閾値を超えたか否か、
の両方、又はいずれか一方を判定することを特徴とする（１）に記載の歩数計。
【００１４】
（２）の構成によれば、（ａ）当日の所定時刻から現在までの非歩行時間の合計が、第１の所定の閾値を超えた場合、又は（ｂ）現在までの連続した非歩行時間が、第２の所定の閾値を超えた場合に、ユーザに対して警告を発生させて運動を促すことができる。
【００１５】
（３）前記第１の所定の閾値及び／又は前記第２の所定の閾値を、外部から受信するためのＮＦＣ通信部及び／又は無線通信部を備えたことを特徴とする（２）に記載の歩数計。
【００１６】
（３）の構成よれば、一旦設定した第１の所定の閾値及び第２の所定の閾値が適切でない場合に、柔軟に変更することができる。
【００１７】
（４）１時間毎の歩行／非歩行を決定するための６０分単位非歩行判定閾値を、外部から受信するためのＮＦＣ通信部及び／又は無線通信部を備えたことを特徴とする（２）又は（３）に記載の歩数計。
【００１８】
（４）の構成によれば、一旦設定した６０分単位非歩行判定閾値が適切でない場合に、柔軟に変更することができる。
【００１９】
（５）単位時間毎の歩行／非歩行を判定するための身体活動強度閾値を、外部から受信するためのＮＦＣ通信部及び／又は無線通信部を備えたことを特徴とする（１）〜（４）に記載の歩数計。
【００２０】
（５）の構成によれば、体力のある人（例えば、若者）、体力のない人（例えば、高齢者）別に、歩行／非歩行を判定するための身体活動強度閾値を設定することができる。
【００２１】
（６）加速度センサを搭載し、前記加速度センサの出力に基づいて歩数を計測する歩数計であって、
前記加速度センサの出力に基づいて、身体活動データ列を作成する身体活動データ列作成部と、
前記身体活動データ列に基づいて、非歩行時間を計測する非歩行時間計測部と、
前記非歩行時間計測部により計測された非歩行時間を記憶する記憶部と、
前記記憶部に記憶された非歩行時間のデータを、ＮＦＣ通信により外部に送信するＮＦＣ通信部、及び／又は、前記記憶部に記憶された非歩行時間のデータを、無線通信により外部に送信する無線通信部と、
を備えたことを特徴とする歩数計。
【００２２】
（６）の構成によれば、複数のユーザの非歩行時間のデータを外部の管理サーバにて収集することができる。
【００２３】
（７）（６）に記載の歩数計、前記歩数計から送信された非歩行時間のデータを受信するＮＦＣ通信部が組込まれた、食堂の精算装置、勤怠管理装置、入退室管理装置、プリンタ認証装置、パソコン起動時の認証装置、又は自動車の乗車起動時の認証装置、及び前記非歩行時間のデータを処理する管理サーバ装置を備えたことを特徴とする健康管理システム。
【００２４】
（７）の構成によれば、ユーザが非歩行時間のデータの送信を意識することなく、非歩行時間のデータを外部の管理サーバにて収集することができる。
【００２５】
（８）（６）に記載の歩数計、前記歩数計から送信された非歩行時間のデータを、携帯電話若しくはスマートフォンの通信機能、又はＷｉＦｉ若しくはBlue tooth（登録商標）の通信機能により受信する無線通信部、及び前記非歩行時間のデータを処理する管理サーバ装置を備えたことを特徴とする健康管理システム。
【００２６】
（８）の構成によれば、ＮＦＣ通信を行う機会のない生活スタイルの人であっても、非歩行時間のデータを外部の管理サーバに送信することができる。
【００２７】
（９）前記歩数計から送信された非歩行時間のデータを処理した結果を、前記歩数計とは別の端末へ送信する前記管理サーバ装置を備えたことを特徴とする、（７）又は（８）に記載の健康管理システム。
【００２８】
（９）の構成によれば、加工、処理された見易く、理解し易い非歩行時間のデータを、別端末にて見ることができる。
【発明の効果】
【００２９】
本発明によれば、非歩行時間が長過ぎて健康に悪影響を与える時に、ユーザに対して警告を発生させて運動を促すことができる。
また、本発明によれば、複数のユーザの非歩行時間のデータを外部の管理サーバに収集して統計的な処理を行うことができる。
【図面の簡単な説明】
【００３０】
【図１】第１実施形態に係る健康管理システム１の構成を示すブロック図である。
【図２】第１実施形態に係る歩数計２の構成を示すブロック図である。
【図３】第１実施形態に係る記憶部２１４に記憶される身体活動集計表３００の例である。
【図４】第１実施形態に係る身体活動データ列４００を説明する図である。
【図５】第１実施形態に係る身体活動集計表３００の非歩行時間の例である。
【図６】第１実施形態に係る別端末７０の画面表示の例である。
【図７】第１実施形態に係る別端末７０の画面表示の例である。
【図８】第１実施形態に係る別端末７０の画面表示の例である。
【図９】第１実施形態に係る別端末７０の画面表示の例である。
【図１０】第１実施形態に係る別端末７０の画面表示の例である。
【発明を実施するための形態】
【００３１】
以下、本発明の第１実施形態について、図面を参照しながら詳細に説明する。
図１は、本発明の第１実施形態に係る健康管理システム１の構成を示すブロック図である。
健康管理システム１は、歩数計２と、ＮＦＣ（Near field radio communication）通信部１１と、無線通信部１２と、通信網５０と、管理サーバ１０と、通信網６０と、別端末７０を備えている。
歩数計２は、ユーザによって携行され、歩行に関する種々のデータを計測し、記憶する。その歩行に関する種々のデータが健康に悪影響を与えるものであれば、ユーザに対して警告する機能を、歩数計２自体が備えている。更に、歩数計２は、自身が備えているＮＦＣ通信機能又は無線通信機能により、記憶した歩行に関する種々のデータを外部に送信することができる。
歩数計２の外観としては、ＩＣカード型と携帯端末型とがあり得る。ＩＣカード型の歩数計２は、社員証、クレジットカード、免許証、会員カード、電子マネーカード、診察券等として作成されたものであってよい。携帯端末型の歩数計２は、携帯電話、スマートフォン、ＰＤＡ（Personal Digital Assistant）、タブレット端末等として作成されたものであってよい。
【００３２】
ＮＦＣ通信部１１は、歩数計２とＮＦＣ通信を行うことにより、ユーザのＩＤ番号及び歩行に関する種々のデータを取得し、管理サーバ１０へ送信する。また、ＮＦＣ通信部１１は、歩数計２に対して、歩数計２の動作を制御するための各種パラメータを送信する。
ＮＦＣ通信部１１は、食堂の精算装置、勤怠管理装置、入退室管理装置、プリンタ認証装置、パソコン起動時の認証装置、自動車の乗車起動時の認証装置等、ユーザのＩＤ番号の送信を受ける種々の装置に組込まれたものであってよい。
無線通信部１２は、携帯電話やスマートフォンの通信機能又はＷｉＦｉやBlue tooth（登録商標）の通信機能によって、歩数計２と通信し、ユーザの歩行に関する種々のデータを取得し、通信網５０を経由して管理サーバ１０へ送信する。また、無線通信部１２は、歩数計２に対して、歩数計２の動作を制御するための各種パラメータを送信する。無線通信部１２は、携帯電話の基地局やＷｉＦｉのアクセスポイントであってよい。
【００３３】
管理サーバ１０は、複数のユーザの歩数計２から送信されたユーザの歩行に関する種々のデータを記憶し、統計的なデータ処理を行い、その結果を、ユーザが使用する、歩数計２とは別の端末（以降、「別端末」という。）７０へ送信する。
別端末７０は、ユーザが使用する、歩数計２とは別の端末である。別端末７０は、具体的には、パソコン、スマートフォン、スマートミラー、ロボット、ナビゲーション装置、スピーカ、アロマ機器であってよい。別端末７０は、歩行に関する統計的なデータ処理の結果を、視覚的、聴覚的、及び嗅覚的にユーザに提供する。
【００３４】
図２は、歩数計２の構成を示すブロック図である。
歩数計２は、制御部２１と、ＮＦＣ通信部２２と、３次元加速度センサ２３と、電池２４と、無線通信部２５と、ＧＰＳ部２６と、振動発生部２７と、ディスプレイ部２８と、ランプ部２９と、スピーカ部３０と、を有する。
【００３５】
制御部２１は、３次元加速度センサ２３の出力を基に、歩行に関する種々のデータを計測し、ユーザに対してアラートを行う処理を制御し、前記歩行に関する種々のデータを外部に送信する制御を行う。
ＮＦＣ通信部２２は、ＮＦＣ通信により、ＮＦＣ通信部１１との間で通信を行う。
３次元加速度センサ２３は、３次元の各軸方向の加速度を計測する。
電池２４は、歩数計２の電源である。
無線通信部２５は、無線通信部１２との間で、無線通信を行う。
ＧＰＳ部２６は、ＧＰＳ機能により歩数計２の位置情報を取得する。 
【００３６】
振動発生部２７は、前記歩行に関するデータがユーザの健康に悪影響を与えるものであるときに、振動を発生させて、ユーザに対して触覚的に警告を与える。
ディスプレイ部２８は、前記歩行に関するデータがユーザの健康に悪影響を与えるものであるときに、ユーザに対して視覚的に警告を与える。
ランプ部２９は、前記歩行に関するデータがユーザの健康に悪影響を与えるものであるときに、ユーザに対して視覚的に警告を与える。
スピーカ部３０は、前記歩行に関するデータがユーザの健康に悪影響を与えるものであるときに、ユーザに対して聴覚的に警告を与える。
【００３７】
制御部２１は、計測部２１２と、時計２１３と、記憶部２１４と、アラート処理部２１５と、ＮＦＣ通信制御部２１６と、無線通信制御部２１７と、を有する。
制御部２１は、ハードウェアとして、例えばプロセッサと、プロセッサで実行するプログラムや処理に使用する情報やデータを格納したメモリとで構成される。２１２−２１７の機能ブロックは、プログラムに対応する。
【００３８】
計測部２１２は、３次元加速度センサ２３の出力に基づいて、歩行に関する種々のデータを計測する。
時計２１３は、時刻の及び情報を提供する。
記憶部２１４は、計測部２１２で計測された歩行に関する種々のデータ、及びユーザのパーソナルな情報を記憶している。
【００３９】
図３は、記憶部２１４に記憶されている歩行に関する種々のデータを記録した身体活動集計表３００の例である。
身体活動集計表３００には、歩行に関するデータの、１時間毎、及び一日毎の合計が記憶されている。しかし、１時間毎の代わりに他の時間毎、例えば３０分毎の表であってもよい。
歩行に関するデータの詳細を説明する前に、身体活動（運動や生活活動）の強さを表す単位と、身体活動量を表す単位について説明する。
【００４０】
身体活動の強さを表す単位として、「メッツ」という単位が知られている。
メッツは、身体活動の強さが安静時の何倍に相当するかを表す。座って安静にしている状態が基準となる１メッツである。静かに立っている状態が、１．２メッツである。座って本や新聞を読んでいる状態が、１．３メッツである。家の中等のゆっくりした歩行が２．０メッツである。ヨガが２．５メッツである。普通に歩行している状態が、３メッツである。自転車に乗っている状態は、４メッツに相当する。ソフトボールが５メッツに相当する。スコップでの雪かき作業が、６メッツに相当する。以後、「身体活動の強さ」の意味で、メッツという用語を使用することがある。
【００４１】
身体活動量を表す単位として、「エクササイズ」という単位が知られている。エクササイズは、身体活動の強さ（メッツ）に身体活動の実施時間（時）を掛けたものである。
例えば、１メッツの身体活動を１時間行えば、１メッツ×１時間＝１エクササイズである。２メッツの身体活動を３時間行えば、２メッツ×３時間＝６エクササイズである
【００４２】
非歩行時間の定義は、「歩行していないと見なすことができる程度の所定の身体活動の強さ以下の身体活動であった時間の合計」である。前記「歩行していないと見なすことができる程度の所定の身体活動の強さ」としては、１．０メッツ〜１．５メッツが適切である。前記「歩行していないと見なすことができる程度の所定の身体活動の強さ」として、ＮＦＣ通信部１１又は無線通信部１２から受信する身体活動強度閾値Ｐｔｈを設定することができる。
【００４３】
中強度活動時間の定義は、「４メッツ〜６メッツの身体活動であった時間の合計」である。
歩数については、通常の定義である。
歩行距離の定義は「歩いた距離」である。
エクササイズは、前記定義に従って計算した、身体活動量である。エクササイズの単位は「Ｅｘ（エクササイズ）」である。
記憶部２１４は、歩行に関する種々のデータの他に、ユーザのＩＤ番号、身長、体重、年齢、及び性別の情報も記憶している。
【００４４】
アラート処理部２１５は、記憶部２１４に記憶されている非歩行時間の情報に基づいて、（ａ）当日の所定時刻（例えば、午前８時）から現在までの非歩行時間の合計、及び（ｂ）現在までの連続した非歩行時間を算出し、各々を、各々の所定の閾値時間と比較し、閾値時間を上回った時には、ユーザの健康に悪影響を与える状態が発生していると判断して、ユーザに対して警告を与えるように動作する。
【００４５】
ＮＦＣ通信制御部２１６は、歩数計２がＮＦＣ通信部１１の近くに位置していて、ＮＦＣ通信部２２とＮＦＣ通信部１１の間の通信が行われる時の制御を行う。具体的には、ＮＦＣ通信部１１から送信されたＩＤ番号の読み出し指令に応答して、ＮＦＣ通信制御部２１６は、記憶部２１４から、ＩＤ番号及び歩行に関する種々のデータを読み出して、ＮＦＣ通信部２２から送信するように制御する。
無線通信制御部２１７は、ユーザの行う操作に応答して、記憶部２１４から、ＩＤ番号及び歩行に関する種々のデータを読み出して、無線通信部２５から送信するように制御する。
【００４６】
計測部２１２は、身体活動データ列作成部２１２ａと、非歩行時間計測部２１２ｂと、中強度活動時間計測部２１２ｃと、歩数計測部２１２ｄと、歩行距離計測部２１２ｅと、エクササイズ計測部２１２ｆとを備えている。
【００４７】
次に、歩数計２が、ＮＦＣ通信部１１又は無線通信部１２から受信する各種パラメータについて説明する。
（１）身体活動強度閾値Ｐｔｈ
測定された身体活動の強さが身体活動強度閾値Ｐｔｈ以下であれば、非歩行状態であると判定される。測定された身体活動の強さが身体活動強度閾値Ｐｔｈより大きければ、非歩行状態ではないと判定される。非歩行時間計測部２１２ｂで使用される。
（２）合計非歩行時間アラート閾値Ｔ１
後記する非歩行時間合計開始時刻Ｔ２からの合計した非歩行時間についての閾値。合計した非歩行時間が、この連続非歩行時間アラート閾値Ｔ１以上であれば、アラートを出力する。アラート処理部２１５で使用される。
（３）非歩行時間合計開始時刻Ｔ２
１日の非歩行時間の合計の計算を始める時刻。アラート処理部２１５で使用される。
（４）非歩行時間合計終了時刻Ｔ３
１日の非歩行時間の合計の計算を終了する時刻。アラート処理部２１５で使用される。
（５）６０分単位非歩行判定閾値ＴＡ
１時間毎に非歩行状態であったか否か決定する際の非歩行時間についての閾値。１時間における非歩行時間の合計が、この６０分単位非歩行判定閾値ＴＡ以上であれば、当該１時間全体が非歩行状態であったと見なされる。アラート処理部２１５で使用される。
（６）連続非歩行時間アラート閾値ＴＢ
連続した非歩行時間についての閾値。連続した非歩行時間が、この連続非歩行時間アラート閾値ＴＢ以上であれば、アラートを出力する。アラート処理部２１５で使用される。
（７）連続非歩行時間判定開始時刻ＴＣ
連続した非歩行時間が、連続非歩行時間アラート閾値ＴＢを超えたか否かの判定を開始する時刻。アラート処理部２１５で使用される。
（８）連続非歩行時間判定開始時刻ＴＤ
連続した非歩行時間が、連続非歩行時間アラート閾値ＴＢを超えたか否かの判定を終了する時刻。アラート処理部２１５で使用される。
なお、これらのパラメータについては、外部から受信するのでなく、歩数計２がデフォルト値として最初から保持している値を使用することも可能である。
【００４８】
図４の（ａ）は、身体活動データ列４００の例である。身体活動データ列４００は、３次元加速度センサ２３の出力に基づいて、単位時間毎の身体活動の強さを決定したものである。前記単位時間は、任意の時間であり、１０秒であってもよいし、３０秒であってもよいし、１分間であってもよい。
身体活動データ列作成部２１２ａは、３次元加速度センサ２３の出力に基づいて、身体活動データ列４００を求める処理を行う。３次元加速度センサ２３の出力から、どのようにして、身体活動データ列４００を求めるかは周知の事項であるので、詳細な説明は省略する。
【００４９】
非歩行時間計測部２１２ｂは、身体活動データ列４００に基づいて、１時間当たりの非歩行時間を計測する。非歩行時間についての前記「歩行していないと見なすことができる程度の所定の身体活動の強さ」が、例えば、１．０メッツであれば、身体活動データ列４００内の、身体活動の強さが１．０メッツ以下である単位時間を決定する。図４の（ｂ）の非歩行判定データ列４１０の網掛けされた単位時間が、身体活動の強さが１．０メッツ以下であると決定された単位時間である。この非歩行判定データ列４１０の網掛けされた単位時間を、１時間当たりで集計することにより、非歩行時間を算出する。また、非歩行時間計測部２１２ｂは、一日分の加算結果も求める。前記「歩行していないと見なすことができる程度の所定の身体活動の強さ」として、ＮＦＣ通信部１１又は無線通信部１２から受信する身体活動強度閾値Ｐｔｈを設定することができる。
【００５０】
中強度活動時間計測部２１２ｃは、同様に、身体活動データ列４００に基づいて、「４メッツ〜６メッツの身体活動であった時間の合計」を１時間毎に計測する。そして、一日分の加算結果も求める。
加速度センサの出力から、歩数を求めるアルゴリズムは、種々知られている。歩数計測部２１２ｄは、任意のアルゴリズムに従って、１時間毎の歩数を計測する。そして、一日分の加算結果も求める。
【００５１】
歩数に歩幅を乗算すれば、歩行距離が求まる。身長から歩幅を求める手法がいくつか知られている。歩行距離計測部２１２ｅは、身長から歩幅を求める任意の手法を採用して、１時間毎の歩行距離を計測する。そして、一日分の加算結果も求める。
エクササイズ計測部２１２ｆは、前記エクササイズの定義に基づいて、１時間毎のエクササイズを算出する。そして、一日分の加算結果も求める。
管理サーバ１０は、多くのユーザの歩数計２から送信された歩行に関する種々のデータを、統計的に処理し、各ユーザが使用する別端末７０に通信網６０を経由して送信する。
【００５２】
次に動作を説明する。
歩数計２の計測部２１２は、３次元加速度センサ２３の出力に基づいて、１時間毎の歩行に関する種々のデータを計測し、身体活動集計表３００を作成して記憶部２１４に格納する。制御部２１のアラート処理部２１５は、動的に、（ａ）非歩行時間合計開始時刻Ｔ2により指定される所定時刻（例えば、午前８時）から現在までの非歩行時間の合計、及び（ｂ）現在までの連続した非歩行時間を算出し、各々の閾値時間と比較する。そして、閾値時間を上回った時には、ユーザの健康に悪影響を与える状態が発生していると判断して、ユーザに対して警告を与えるように動作する。
【００５３】
前記（ｂ）の現在までの連続した非歩行時間に基づくアラート処理について、詳細に説明する。図５は、身体活動集計表３００の一部である。
６０分単位非歩行判定閾値ＴＡ＝５９分、連続非歩行時間アラート閾値ＴＢ＝５時間、連続非歩行時間判定開始時刻ＴＣ＝７時、連続非歩行時間判定開始時刻ＴＤ＝２１時と仮定して説明する。
図５（ａ）では、７時から１２時までの全ての１時間の非歩行時間が、６０分単位非歩行判定閾値ＴＡ以上であるので、１２時になった時点で、非歩行の状態が５時間継続したと判定しアラートを出力する。
図５（ｂ）では、７時台、８時台は、非歩行と判定されるが、９時台の５４分は、６０分単位非歩行判定閾値ＴＡの５９分未満であるので、９時台は、非歩行と判定されない。このため、１２時での連続非歩行時間は２時間であるので、１２時になってもアラートは出力されない。
【００５４】
アラートを出力する時に、例えば、振動発生部２７は、ユーザに対して、特別なパターンの振動を与える。ディスプレイ部２８は、特別な色の表示をする。ランプ部２９は、警告の意味で赤いランプを点灯させる。スピーカ部は、特別なパターンの音を発生させる。そして、これらのうちの任意の一つ又は組み合わせを行う。
【００５５】
次に、歩数計２が、歩行に関する種々のデータを、管理サーバへ送信する動作について説明する。
歩数計２を携行したユーザがＮＦＣ通信部１１に近づいた時には、ＮＦＣ通信部１１と、歩数計２のＮＦＣ通信部２２の間で通信が行われ、ＮＦＣ通信部１１から受信したＩＤ番号の読み出し指令に応答して、ＮＦＣ通信制御部２１６は、記憶部２１４から、ＩＤ番号及び歩行に関する種々のデータを読み出して、ＮＦＣ通信部２２から送信するように制御する。
更に、ユーザが、無線通信部２５を使用して、歩行に関する種々のデータを送信するための操作を行った時には、無線通信制御部２１７は、無線通信部２５からＩＤ番号及び歩行に関する種々のデータを送信するように制御する。
【００５６】
管理サーバ１０は、複数のユーザの歩数計２から送信された歩行に関する種々のデータを、統計的に処理する。そして、別端末７０からの要求に応答して、又は別端末７０からの要求がなくても、統計的に処理した結果を別端末７０に送信する。
【００５７】
図６乃至図１０は、別端末７０に表示される統計的な処理結果の例である。
図６は、健康管理の要約の画面である。本画面にログインして「いいね！」ボタンを押すとポイントが加算される。２行目の「今月のご利用金額」は、今月の社員食堂の利用金額である。３行目の「３月７日の摂取カロリー」は、直近の食事に関するデータを収集した日の摂取カロリーである。
４行目の「３月６日の歩数」は、直近の食事に関するデータを収集した日の一日前の歩数である。５行目の「３月６日の早歩き時間」は、直近の食事に関するデータを収集した日の一日前の中強度活動時間である。６行目の「３月６日の非歩行時間」は、直近の食事に関するデータを収集した日の一日前の非歩行時間である。
【００５８】
図７は、一週間分の非歩行時間の棒グラフである。閾値の１０時間を超えている５日の分は赤色で表示する。週間だけでなく、月間、年間の表示も選択可能である。
【００５９】
図８は、一週間分の歩数の棒グラフである。閾値の４０００歩に満たない日の分は赤色で表示する。週間だけでなく、月間、年間の表示も選択可能である。
【００６０】
図９は、一週間分の早歩き時間（中強度活動時間）の棒グラフである。下の閾値の５分に満たない日の分は赤色で表示する。上の閾値の２０分に満たず、下の閾値の５分以下の日の分は黄色で表示する。週間だけでなく、月間、年間の表示も選択可能である。
【００６１】
図１０は、所属している組織内の歩数、歩速又は摂取カロリーの偏差値である。歩速＝４００(ｍ／ｈ)の、所属している組織における偏差値は５２であることが分かる。
【００６２】
以上、本発明の実施形態について説明したが、本発明は上述した実施形態に限るものではない。また、発明の実施形態に記載された効果は、本発明から生じる最も好適な効果を列挙したに過ぎず、本発明による効果は、本発明の実施形態に記載されたものに限定されるものではない。
【００６３】
例えば、身体活動集計表３００は、１時間毎の集計表でなく、３０分毎の集計表であってもよい。その場合に、６０分単位非歩行判定閾値ＴＡは、３０分単位非歩行判定閾値に変更されるべきであることは、当業者には明らかである。
【符号の説明】
【００６４】
１        健康管理システム
２        歩数計
１０      管理サーバ
１１      ＮＦＣ通信部
１２      無線通信部
２１      制御部
２１２    計測部
２１２ａ  身体活動データ列作成部
２１２ｂ  非歩行時間計測部
２１２ｃ  中強度活動時間計測部
２１２ｄ  歩数計測部
２１２ｅ  歩行距離計測部
２１２ｆ  エクササイズ計測部
２１３    時計
２１４    記憶部
２１５    アラート処理部
２１６    ＮＦＣ通信制御部
２１７    無線通信制御部
２２      ＮＦＣ通信部
２３      ３次元加速度センサ
２４      電池
２５      無線通信部
２６      ＧＰＳ部
２７      振動発生部
２８      ディスプレイ部
２９      ランプ部
３０      スピーカ部
３００    身体活動集計表
４００    身体活動データ列
４１０    非歩行判定データ列
５０      通信網
６０      通信網
７０      別端末
【図１】
2018180664.tif 000003
【図２】
2018180664.tif 000004
【図３】
2018180664.tif 000005
【図４】
2018180664.tif 000006
【図５】
2018180664.tif 000007
【図６】
2018180664.tif 000008
【図７】
2018180664.tif 000009
【図８】
2018180664.tif 000010
【図９】
2018180664.tif 000011
【図１０】
2018180664.tif 000012